(57)【要約】      （修正有）【課題】音楽を聴き、精神を集中しつつも、大切な電話や上司や同僚他とのコミュニケーションに支障を発生させることのないヘッドフォンを設えた音楽再生装置を提供する。【解決手段】ワーカーは、マルチタスク対応のパソコンで裏ウインドウで音楽再生を実行しつつ表ウインドウにて、パンコンで業務を遂行し、指向性の最適化を図ったマイクによる音検知、リアルタイム監視により、ワーカーへの電話や呼び声があった場合、マイクで電話の呼出音、上司の音や声を自動的に検知し、Ａ／Ｄ変換し、音情報を波形パターン比較推定し、ヤマダさんと言った担当者宛ての音声か人工知能手段を駆使し自動識別推定し、該当した場合は音楽再生を中断しイヤーフォンからの音声出力を消し、パソコンの画面に電話や呼び声といった情報を専用のウインドウに音声内容を表示させ、コミュニケーションを実現する。【選択図】図６
0003145585.tif 000002
【実用新案登録請求の範囲】
【請求項１】
音楽を再生する為のヘッドフォンと音や声を検知するマイクとこれらとケーブル接続されたリモコン部とマルチタスクパソコン接続用のケーブルとパソコン用音楽再生プログラムから構成される音楽再生装置に於いて、音楽を聴きながら仕事に専念している最中、マイクにて電話や上司や同僚からの呼び声や火災報知器の音を集音録音し、マルチタスクパソコンに内蔵のＡ／Ｄコンバータにてデジタル信号波形に変換し、パソコン内のフラッシュメモリーに記憶された音パターンとのパターン比較照合推定プログラムで事前に登録されたワーカーの名前の音声波形や最寄の電話機の呼び出し音の波形パターンを比較推定し、酷似又は異常事態と推定した場合、再生中のヘッドフォン部からの音楽再生を停止し消音する事を特徴とする音楽再生装置。
【請求項２】
請求項１記載の構成の音楽再生装置に於いて、リモコン部に「非該当ボタン」を有し、特定のワーカーに関係ない音や声の情報が録音され推定の結果音楽再生が中断された場合、非該当ボタンの操作にて特定のワーカー宛ての情報でない直前に録音された波形パターンを非該当パターンのグループのフラッシュメモリーやＨＤＤに登録し、次回は当該パターンが検知された場合音楽再生を中断しない学習機能を有する事を特徴とする音楽再生装置。
【請求項３】
請求項１記載の構成の音楽再生装置に於いて、リモコン部に「該当する」ボタンを有し、特定のワーカーに関係する該当する音や声の情報が録音されたが音楽再生が中断されなかった場合、ワーカーがこれに気付いた時点で該当ボタンの操作にて特定のワーカー宛ての情報の波形パターンを該当パターンのグループのフラッシュメモリーやＨＤＤに登録し、次回当該パターンが検知された場合音楽再生を中断する学習機能を有する事を特徴とする音楽再生装置。
【請求項４】
請求項１記載の構成の音楽再生装置に於いて、ワーカーへの音や声の情報をリアルタイム監視する目的でマイクにて録音、Ａ／Ｄコンバータにて二値化した音波形データを記憶する為にメモリーを書き込みと保持からなる２つ以上の区画に分割し、バッファメモリーエリアに分け、Ａ、Ｂ、Ａ、Ｂ、Ａの順番で書き込み、記憶の保持の２つのサイクルを繰り返す運用によりワーカーへの呼び声や最寄の電話のベル音やアラーム音をリアルタイム監視する為にデータ処理する事を特徴とする音楽再生装置。
【考案の詳細な説明】
【技術分野】
【０００１】現在、企業では経理、企画書作成、表計算、ＣＡＤ、プログラム開発等のあらゆるデスクワーク分野でマルチタスクパソコンが利用されている。
一部の企業では創造性や集中力が要求される業務分野で業務効率を高める目的で音楽再生の性能を有する光学ドライブを内蔵したマルチタスクパソコンにて従業員のワーカーに音楽を聴かせ、従業員の仕事への精神の集中力を高めたいと希望する企業経営者もいる。しかし音楽を聞いていると電話や上司からの声が聞こえない為、音楽が従業員の創造性を高めリストレス緩和やラックス感を提供し精神集中やより精度の高い業務が見込まれるも、コミュニケーションがネックとなり導入には至っていない。本考案は、音楽を聴きながらパソコンで効率的な仕事をしていても、コミュニケーションの障害とならないヘッドフォンとマイクと専用プログラムからなるヘッドセット音楽再生装置に関するものです。
【背景技術】
【０００２】現在、職場ではプログラム作成、ＣＡＤや企画書作成や特許作成や経理データ入力や企画書作成等の業務分野では、マルチタスクパソコンが普及している。
リラックスした職場環境で技術者や企画スタッフの創造性を高めたり、業務処理の迅速性や正確性の追求等の仕事の質の改革や業務によるストレス緩和が求められる。業務への精神集中を目的に、光学ドライブを内蔵したマルチウインドウ対応マルチタスクパソコンにて、音楽を再生しつつ業務を遂行させる事はパソコンＯＳのスペックから可能ですが、コミュニケーションに支障を来たす為、職場に音楽再生を安易に導入できない状況にある。
本考案は、マルチタスクパソコンに於けるワーカーの作業効率の改革と業務による精神的なストレス緩和を目指したパソコン周辺機器と応用ソフトに関するものです。
【考案の開示】
【考案が解決しようとする課題】
【０００３】現在、日本は世界でも１人当たりの国民総所得が上位にランクされている上、原油に代表される希少資源を輸入に頼る資源小国として原材料価格の高騰が進む中、日本国の国際競争力は大きく減衰している。グローバル化する中、日本の世界経済に於ける重要な地位を守り、国際的な役割と世界の消費者の期待に応え、企業責務を果たす為には、企業側の努力と理解の下、日本人のワーカーの労働の質を高める事が求められている。今まで以上にクリエイティブな商品企画や特許出願や業務の精度向上や迅速性や正確性の向上等が求められている。
現在、日本のオフィスでは、工場の機械装置の音や道路のクルマの音に加え、電話のベルが鳴ったり、他人を呼ぶ上司の声やミーティングの会話やオフィス機器の音がワーカーの耳に入り、雑音の氾濫により精神を集中できる職場環境とは言えないケースが多い。
職場で、上述の業務において労働の質を改善する為の有効な施策として、音楽を聴くことが精神を集中させ、創造性を高め、能率や労働生産性を大きく改善すると共に、業務に伴い発生する精神的なストレスを緩和し、職場環境を大きく改善する為に有効と言える。
デュアルコアＣＰＵや大容量ＲＡＭ等、近年のパソコンの技術革新は、マルチタスク利用環境は更に向上しており、各種のタスクを実行しつつ音楽を聴く可能性は高まって来ている。
各種のオフィス業務を遂行しつつ、ヘッドフォンやヘッドセットを利用しワーカー各自のマルチタスクパソコンの音楽再生機能を使用し、音楽を再生する事により、仕事への精神の集中により作業効率や作業の迅速化や正確性の改善やより創造的な業務や精神的なストレス緩和が見込まれる。
しかしこの場合、ワーカー当人への電話や上司や他の取引先や顧客からの声が聞こえない為に仕事に支障を来たす上、火災報知器や緊急地震速報等のアラーム音が聞こえない事より導入には障害があり、導入されていない。
【課題を解決するための手段】
【０００４】本考案は、パソコンを利用した上述の業務に於いて、ワーカーの業務処理の迅速化や正確性追求や創造性向上を目指し、パソコンに３本のケーブルで接続するヘッドセットとマルチタスクパソコン用応用ソフトから構成される音楽再生装置に関するものです。
ヘッドセットは、ＣＤドライブを内蔵したパソコンからの音楽を高音質でステレオ再生するヘッドフォンとワーカーの胸位置等に配置されるリモコン兼マイクで構成されています。
同リモコンには、メニュー表示やＭｕｔｅや再生ボタンや音量調整具が具備されております。
ワーカー各自の耳にヘッドフォンを、胸位置にリモコン兼マイクを配し、ワーカーはパソコン用の音楽再生ソフトの制御プログラムにてＣＤやＨＤＤの特定フォルダの指定やシーケンスを指定して音楽をリピート再生できるものです。
但し事前にワーカーは、ヤマダさんと言うようにワーカーの氏名と最寄の電話のベル音やアラーム音等、それぞれの音声波形パターンをパソコンのＨＤＤ等に登録しておきます。
本考案では、マルチタスクパソコンで業務を遂行しつつ、裏ウインドウで音楽再生ソフトを起動し、音楽を再生し、ヘッドフォンで音楽を聴き業務に精神を集中させつつ、マイクで常時ワーカー周囲部の音声情報を集音録音します。
録音された情報は、Ａ／Ｄコンバータにてデジタル化し、事前にプリセットした音波形パターンが記憶されたメモリーと比較推定を行い、ワーカーの氏名や火災報知器や呼び声や電話のベル等を認識し、該当する場合は再生中の音楽を消音するものです。
ワーカーは、マルチタスク対応のパソコンで裏ウインドウで音楽再生を実行しつつ表ウインドウにて、パンコンで業務を遂行し、志向性の最適化を図ったマイクによる音検知、リアルタイム監視により、ワーカーへの電話や呼び声があった場合、マイクで電話の呼出音上司の音や声を自動的に検知し、Ａ／Ｄ変換し、音情報を波形パターン比較推定し、ヤマダさんと言った担当者宛ての音声か人工知能手段を駆使し自動識別推定し、該当した場合は音楽再生を中断しイヤーフォンからの音声出力を消し、パソコンの画面に電話や呼び声といった情報を専用のウインドウに音声内容を表示させ、コミュニケーションを実現するものです。更に同じ電話の呼び出し音についても、近い電話と離れた別の電話の呼び出し音を志向性の最適化と左右のイヤーフォン位置へのマイクの設置とデジタル波形パターン分析により聞き分け、担当者宛ての電話の場合、音楽再生を停止中断するものです。
ワーカーへの音や声の情報をリアルタイム監視する目的でマイクにて集音、Ａ／Ｄコンバータにて二値化した音声波形データを記憶する為にバッファメモリーのアドレスを３つ以上の区画に分割し、消去と書き込みと保存からなるバッファメモリーエリアに分け、Ａ、Ｂ、Ｃ、Ａ、Ｂ、Ｃ等の順番で消去と書き込みと保持の３つのサイクルを繰り返す事によりワーカーへの呼び声や最寄の電話のベル音やアラーム音をリアルタイム監視する為にメモリーを利用し、データ処理するものです。
【考案の効果】
【０００５】本考案のヘッドセットを各ワーカーのマルチタスクパソコンに接続し、裏ウインドウで音楽再生ソフトのリモート制御ソフトにて、お気に入りの音楽を職場で聴く事により、ワーカーの集中力を高め、より創造的なアイデア創造や迅速で正確な事務処理や正確なプログラム開発やより熟慮された企画書作成やワーカーの仕事に伴うストレスの緩和を目指すものです。
かつワーカーあての電話や顧客や同僚や上司からの声やベル音やアラームも、ヘッドフォンとケーブルで接続され胸に配置されたリモコン兼マイクにてリアルタイムで監視する事により検知できるものです。マルチタスクパンコンに内蔵のアナログ音声のＡ／Ｄコンバーターにて音声信号波形をアナログデジタル変換し、事前に登録されている波形パターンとリアルタイムで監視を行い、波形パターンの比較で合致又は酷似したパターンについて推定し該当する場合は、音楽再生を中断し消音するものです。更に火災報知器や緊急地震速報等のアラーム音を登録する事により危険情報をワーカーに知らせるものです。更に学習機能によりワーカー宛ての音声波形とそれ以外の音情報のパターン記憶登録により精度の高い推定を行うものです。
従い、音楽を聴き、精神を集中しつつも、大切な電話や上司や同僚他とのコミュニケーションに支障を発生させないものです。
多数の日本企業への導入により日本企業の競争力を強化し、世界中の消費者からの期待やニーズを先取りした製品やサービス提供を目指すものです。
【考案を実施するための最良の形態】
【０００６】本考案を実現するための最良の形態について説明します。
本考案のシステムでは、マイクにより音声や音を常時録音し、パターン比較しますが、会社やＳＯＨＯではクルマやＯＡ機器や各種機械や雑談等の当該ワーカーに無関係のノイズが想定される事より、音をデジタル化した後、フィルターを通し、雑音の波形のデータを学習し、当該ワーカーにとって有用な情報を比較推定し、該当する確率の高いケースに絞り音楽再生を停止し消音するものです。
本考案は、企画部、ソフト開発やＣＡＤ等の技術部、経理部等の重要な業務分野での利用が可能です。
更にコールセンターの場合も頻繁に電話がない場合は、電話回線とのリンクにより、コールがない時間帯は、音楽を聞きリラックスでき、業務によるストレスの緩和を目指すものです。
更に精度の高い電話や声の検知、識別推定を目指し、左右のイヤーフォンに左右独立式のステレオ式のマイクシステムを装着する事によりワーカーの最寄の電話機を検知する事も可能です。
【実施例】
【０００７】図１にてヘッドセット音楽再生装置の具体的な実施例について説明します。本考案のヘッドセット音楽再生装置そのものには、音楽再生機能はない又はＯＳの音楽再生機能をリモート制御し、指向性に優れたマイクと音声認識技術を駆使し、マルチタスクパソコンのスペックをフルに引き出し、担当者あての電話や山田さんといった呼び声やアラーム音のパターンの認識を高速で比較判定、推定するものです。
大企業の職場には、多数のワーカーが働いている事より、特定ワーカーへの呼び声以外の非該当の音声が録音され、音楽再生が中断された場合、非該当ボタン１２を押す事により直前の録音データを非該当パターン波形として登録できるものです。更に呼ばれていたにも関わらず再生停止が実行されなかった場合は、該当ボタン１１を押し、当該音波形を該当パターン波形に追加できる事により学習する事ができる。
【図面の簡単な説明】
【０００８】
【図１】ヘッドセット音楽再生装置の外観図にて本考案の説明を行います。
【図２】ヘッドセット音楽再生装置のリモコン兼マイクの外観図にて本考案の説明を行います。
【図３】ヘッドセット音楽再生装置の音声出力パターンの図にて本考案の説明を行います。
【図４】左右独立式マイク搭載ヘッドセット音楽再生装置の外観図にて本考案の説明を行います。
【図５】ヘッドセット音楽再生装置のフローチャート図にて本考案の説明を行います。
【図６】ヘッドセット音楽再生装置のパソコン内のブロック回路図にて本考案の説明を行います。
【符号の説明】
【０００９】１    ワーカー、人の頭
２    ステレオヘッドフォン
３    ヘッドフォン用ケーブル
４    ワーカーの胸
５    リモコン兼マイク
６    マルチタスクパソコンへの接続端子、ＰＣからのイヤーフォン用音声出力
７    マルチタスクパソコンへの接続端子、ＰＣへのマイク用音声出力
８    マルチタスクパソコンへの接続端子、リモコン用インターフェイスプラグ
９    ボリューム、可変抵抗又はデジタル式、音量調整
１０  Ｐｌａｙボタン、音楽再生
１１  該当するボタン、該当ボタン、学習機能用
１２  該当しないボタン、非該当ボタン、学習機能用
１３  Ｍｅｎｕボタン、音楽再生タスクウインドウを最前面へ表示
１４  マイク
１５  音声出力値
１６  音声波形パターン
１７  左右独立式の音声マイク
１８  マイクの無いリモコン
【図１】
0003145585.tif 000003
【図２】
0003145585.tif 000004
【図３】
0003145585.tif 000005
【図４】
0003145585.tif 000006
【図５】
0003145585.tif 000007
【図６】
0003145585.tif 000008
【手続補正書】
【提出日】平成20年7月16日(2008.7.16)
【手続補正１】
【補正対象書類名】実用新案登録請求の範囲
【補正対象項目名】全文
【補正方法】変更
【補正の内容】
【実用新案登録請求の範囲】
【請求項１】
音楽を再生する為のヘッドフォンとこれとケーブル接続された音や声を検知するマイクを内蔵した学習ボタンと再生停止ボタンとメニューボタンを配したリモコン部とマルチタスクパソコンとの接続用のケーブルとマルチタスクパソコンＯＳ内の音楽再生プログラムを制御する為の音楽再生停止制御プログラムから構成されるパソコン用の音楽再生装置に於いて、パソコンＯＳの音楽再生機能を制御コントロールし、音楽を聴きながら仕事に専念している最中、事前に前記マイクにて電話や上司や同僚からの呼び声や火災報知器の音を集音録音しパソコン内のＨＤＤ又はフラッシュメモリーに保存しておき、マイクで集音された音波形をマルチタスクパソコンに内蔵のＡ／Ｄコンバータにてデジタル信号波形に変換し、パソコンに内蔵のフラッシュメモリーやＨＤＤに記憶された音パターン波形を音楽再生停止制御プログラム内のパターン比較照合推定プログラムにて、事前に当該パソコン内のメモリーに登録されたワーカーの名前の音声波形や最寄の電話機の呼び出し音の波形パターンと音楽再生停止制御プログラムが比較推定し、推定の結果波形が酷似又は異常事態と推定した場合、再生中のヘッドフォン部からの音楽再生を停止し消音する事を特徴とする音楽再生装置。
【請求項２】
請求項１記載の構成の音楽再生装置に於いて、マルチタスクパソコンＯＳ内の音楽再生プログラムを制御する為の音楽再生停止制御プログラムと学習手段と前記リモコン部に配した「非該当ボタン」を操作する事による非該当事例の学習により、音楽再生消音制御プログラムにて特定のワーカーに関係ない音や声の情報が録音され推定され音楽再生が中断された場合、ワーカーが気付いた直後に、リモコンの非該当ボタンの操作にて特定のワーカー宛ての情報でない直前に録音された波形パターンをパソコン内の非該当パターンのグループのＨＤＤやフラッシュメモリーの領域内に登録し、次回は当該パターンが検知された場合音楽再生を中断しない学習機能を有する事を特徴とする音楽再生装置。
【請求項３】
請求項１記載の構成の音楽再生装置に於いて、マルチタスクパソコンのＯＳ内の音楽再生プログラムを制御する為の音楽再生停止制御プログラムと学習手段と前記リモコン部に配した「該当する」ボタンを操作する事による該当波形の学習手段により、音楽再生停止制御プログラムにて特定のワーカーに関係する該当する音や声の波形が録音され、該当情報が推定されたにも関わらず音楽再生が中断されなかった場合、ワーカーがこれに気付いた直後にリモコンの該当するボタンの操作にて特定のワーカー宛ての音情報の波形パターンを該当パターンのグループのフラッシュメモリーやＨＤＤ領域内に登録し、次回当該パターンが検知された場合音楽再生を中断する学習機能に行う事を特徴とする音楽再生装置。
【請求項４】
請求項１記載の構成の音楽再生装置に於いて、マルチタスクパソコンＯＳ内の音楽再生プログラムを制御する為の音楽再生消音制御プログラムと常時ワーカーへの音波形情報を録音し記憶するメモリーとパソコン内のＡ／Ｄコンバータにより、ワーカーへの音や声の情報をリアルタイム監視する目的でマイクで音楽再生停止制御プログラムにて常時録音、Ａ／Ｄコンバータにて二値化した音波形データを記憶する為にメモリーへの書き込みと保持からなる２つ以上の区画に分割されたメモリー領域のバッファメモリーエリアに、Ａ、Ｂ、Ａ、Ｂ、Ａといった順番で書き込み、記憶保持の２つのサイクルを繰り返す運用によりワーカーへの呼び声や最寄の電話のベル音やアラーム音をリアルタイム監視する為にデータ処理する事を特徴とする音楽再生装置。